(57)【要約】      （修正有）【課題】爪への装着作業の容易性及び迅速性の向上を図った巻爪矯正器および保持具を提供する。【解決手段】爪Ｂの外側縁に対して外側縁Ｂ２、Ｂ３を表裏から挟持するように嵌脱自在に嵌合されるフック部４と、フック部に一体として配され、矯正部材３を挿通支持する挿通部５と、挿通部に一体として配置され、挿通部に対して挿通支持される矯正部材に対する接触抵抗によって、該矯正部材を不動に保持する接触片部６とを有する固定部材１、２に、矯正部材を撓らせた状態で配置する。【選択図】図１
2019201795.tif 000002
【特許請求の範囲】
【請求項１】
爪の自由縁の両外側縁に装着される一対の固定部材と、一対の前記固定部材にわたる方向の軸を有し、前記爪の表面側で該爪の幅方向に沿うと共に、巻爪の方向に沿う方向に撓らせた状態で、一対の前記固定部材にわたるように配置される矯正部材とを有する巻爪矯正器であって、前記固定部材は、前記外側縁に対して該外側縁を表裏から挟持するように嵌脱自在に嵌合されるフック部と、前記フック部に一体として配され、前記矯正部材を挿通支持する挿通部と、前記挿通部に一体として配置され、該挿通部に対して挿通支持される前記矯正部材に対する接触抵抗によって、該矯正部材を不動に保持する接触片部とを有し、前記矯正部材は、撓らせる方向の力に対して復帰する方向の反発力が生じる弾性を有し、前記フック部は、前記爪の前記外側縁と対向する開口部を有すると共に、前記開口部の拡開方向の力に対して復帰する方向に付勢する付勢部を有し、前記挿通部は、前記矯正部材が貫通状に挿通される貫通口を有していることを特徴とする巻爪矯正器。
【請求項２】
前記接触片部が、複数であることを特徴とする請求項１に記載の巻爪矯正器。
【請求項３】
前記接触片部が、前記矯正部材の外周に対して食い込む方向に尖らせた角状の先端を有していることを特徴とする請求項１又は２に記載の巻爪矯正器。
【請求項４】
前記矯正部材の外周に、合成樹脂材が被膜されていることを特徴とする請求項１乃至３いずれか１項に記載の巻爪矯正器。
【請求項５】
請求項１乃至４に記載の巻爪矯正器を保持する保持具であって、前記保持具は、保持具本体と、前記保持具本体に一体に設けられ、一対の前記固定部材を夫々挟持状に保持する２か所の挟持保持部と、前記保持具本体に一体に設けられ、前記矯正部材を嵌脱自在に保持する嵌合保持部とを有し、前記挟持保持部は、前記保持具本体に相互に対面するように突設された２枚の挟持板を有し、前記フック部の前記開口部が露出した状態で、２枚の前記挟持板が前記挿通部のみを挟持保持するようにされていると共に、前記保持具本体から２枚の前記挟持板を離脱させることで挟持保持を解除するようにされ、前記嵌合保持部は、前記矯正部材の一部が露出するように形成された引抜空間と、矯正部材の他の一部が嵌合保持される嵌合凹部とを有し、前記引抜空間から前記矯正部材を引き抜くようにされていることを特徴とする保持具。
【請求項６】
前記保持具本体に、前記貫通口に対して前記矯正部材の挿通を案内する案内部が備えられ、前記案内部は、前記爪に装着された前記挿通部に対して前記貫通口の軸方向で対面する対面板と、前記対面板に前記矯正部材が径方向から嵌脱自在、且つ嵌合状態において前記矯正部材が軸方向で貫通するように凹設された案内凹部とを有し、前記案内凹部に嵌合させた状態の前記矯正部材の軸が、前記貫通口の軸と同軸となる位置で、前記対面板を前記挿通部に対面させるようにされていることを特徴とする請求項５に記載の保持具。
【請求項７】
前記対面板に、前記案内凹部に嵌合させた状態の前記矯正部材の軸が、前記貫通口の軸と同軸となる位置において、前記挿通部に対面する前記対面板の位置を規定する規定部を備えていることを特徴とする請求項６に記載の保持具。
【発明の詳細な説明】
【技術分野】
【０００１】
本発明は、趾の巻爪を矯正する巻爪矯正器及び巻爪矯正器を保持する保持具に関する。
【背景技術】
【０００２】
従来、趾の巻爪矯正器は、下記、特許文献１に記載されているように、爪の自由縁の両外側縁に嵌め付けられる一対の端子部材と、一対の端子部材にわたるように、爪の表面側で撓ませた状態で取り付けられる弾性部材とを有するものが知られている。
【０００３】
特許文献１に記載の巻爪矯正器は、弾性部材の撓みから復帰する弾性力によって、爪の自由縁の両外側縁を上方に引き上げるようにして、巻爪を矯正するようにされている。
【先行技術文献】
【特許文献】
【０００４】
【特許文献１】特開２０１４−１１３３２２公報
【発明の概要】
【発明が解決しようとする課題】
【０００５】
特許文献１には、（Ａ）：端子部材の双方に弾性部材の端部が嵌合される凹状の挿入部を備え、この挿入部に弾性部材の端部を嵌合することによって、弾性部材の撓みを保持した取付け構造が記載されている。
【０００６】
しかしながら、（Ａ）の取付け構造は、弾性部材の取付け前に、弾性部材の軸長を爪幅に対応する長さに切断するが、爪幅は個人毎に異なるため、弾性部材の軸長の長さ調整が面倒であるという問題がある。
【０００７】
また、（Ｂ）：端子部材の一方に弾性部材の端部が嵌合される凹状の挿入部を備えると共に、他方に弾性部材が挿通する管状の挿入部を備え、且つ管状の挿入部側に配置され、弾性部材が撓んだ状態を保持する脱落防止部材を備え、管状の挿入部及び脱落防止部材に弾性部材を挿通すると共に、挿入された弾性部材の一端部を凹状の挿入部に嵌合することで、弾性部材の撓みを保持した弾性部材の取付け構造が記載されている。
【０００８】
（Ｂ）の取付け構造によれば、弾性部材の挿入後に、管状の挿入部からはみ出た弾性部材を切断することで、弾性部材の軸長を調整でき、脱落防止部材によって弾性部材の撓みを保持することができる。
【０００９】
しかしながら、巻爪矯正器の各部材は、極めて細かい部材であるため、基本的に爪への取付け作業が困難であると共に、各部材を整理よくまとめておくことが困難であり、特に、管状の挿入部に弾性部材を挿通する際に、同時に脱落防止部材にも挿通する必要がある（Ｂ）の取付け構造では、爪への取付け作業の困難性が高くなってしまうと共に、部材をなくしてしまうという問題がある。
【００１０】
特許文献１の巻爪矯正器では、（Ａ）（Ｂ）の他にも、取付け構造が提案されているが、いずれも、爪への取付け状態での巻爪矯正器の嵩張りが大きくなってしまうという問題がある。
【００１１】
このため、少ない構成部材で爪への装着状態の確実性を高めることができること、爪への装着作業の容易性及び迅速性の向上ができること、各部材を整理よくまとめることができること、装着時の嵩張りを小さくできること等が求められている。
【課題を解決するための手段】
【００１２】
前述の課題を解決するため、本発明では、以下の手段を採用した。
【００１３】
爪の自由縁の両外側縁に装着される一対の固定部材と、一対の前記固定部材にわたる方向の軸を有し、前記爪の表面側で該爪の幅方向に沿うと共に、巻爪の方向に沿う方向に撓らせた状態で、一対の前記固定部材にわたるように配置される矯正部材とを有する巻爪矯正器であって、前記固定部材は、前記外側縁に対して該外側縁を表裏から挟持するように嵌脱自在に嵌合されるフック部と、前記フック部に一体として配され、前記矯正部材を挿通支持する挿通部と、前記挿通部に一体として配置され、該挿通部に対して挿通支持される前記矯正部材に対する接触抵抗によって、該矯正部材を不動に保持する接触片部とを有し、前記矯正部材は、撓らせる方向の力に対して復帰する方向の反発力が生じる弾性を有し、前記フック部は、前記爪の前記外側縁と対向する開口部を有すると共に、前記開口部の拡開方向の力に対して復帰する方向に付勢する付勢部を有し、前記挿通部は、前記矯正部材が貫通状に挿通される貫通口を有していることを特徴とする巻爪矯正器である。
【００１４】
前記接触片部が、複数であることが好ましい。
【００１５】
前記接触片部が、前記矯正部材の外周に対して食い込む方向に尖らせた角状の先端を有していることが好ましい。
【００１６】
前記矯正部材の外周に、合成樹脂材が被膜されていることが好ましい。
【００１７】
前述の巻爪矯正器を保持する保持具であって、前記保持具は、保持具本体と、前記保持具本体に一体に設けられ、一対の前記固定部材を夫々挟持状に保持する２か所の挟持保持部と、前記保持具本体に一体に設けられ、前記矯正部材を嵌脱自在に保持する嵌合保持部とを有し、前記挟持保持部は、前記保持具本体に相互に対面するように突設された２枚の挟持板を有し、前記フック部の前記開口部が露出した状態で、２枚の前記挟持板が前記挿通部のみを挟持保持するようにされていると共に、前記保持具本体から２枚の前記挟持板を離脱させることで挟持保持を解除するようにされ、前記嵌合保持部は、前記矯正部材の一部が露出するように形成された引抜空間と、矯正部材の他の一部が嵌合保持される嵌合凹部とを有し、前記引抜空間から前記矯正部材を引き抜くようにされていることを特徴とする保持具である。
【００１８】
前記保持具本体に、前記貫通口に対して前記矯正部材の挿通を案内する案内部が備えられ、前記案内部は、前記爪に装着された前記挿通部に対して前記貫通口の軸方向で対面する対面板と、前記対面板に前記矯正部材が径方向から嵌脱自在、且つ嵌合状態において前記矯正部材が軸方向で貫通するように凹設された案内凹部とを有し、前記案内凹部に嵌合させた状態の前記矯正部材の軸が、前記貫通口の軸と同軸となる位置で、前記対面板を前記挿通部に対面させるようにされていることが好ましい。
【００１９】
前記対面板に、前記案内凹部に嵌合させた状態の前記矯正部材の軸が、前記貫通口の軸と同軸となる位置において、前記挿通部に対面する前記対面板の位置を規定する規定部を備えていることが好ましい。
【図面の簡単な説明】
【００２０】
【図１】本発明に係る実施形態の巻爪矯正器の正面図であり、装着状態を示す。
【図２】図１の平面図である。
【図３】図１の（３）-（３）線側面図である。
【図４】本発明に係る実施形態の保持具の正面図であり、一部切欠して示す。
【図５】（ａ）は、図４の平面図、（ｂ）は、（ａ）の（ｂ）-（ｂ）線断面図、（ｃ）は、矯正部材の挿通時の状態を示す説明図である。
【図６】（ａ)〜(ｃ)は巻爪矯正器の装着動作の工程図である。
【図７】（ｄ)〜(ｆ)は、図６(ｃ)から連続する巻爪矯正器の装着動作の工程図である。
【発明を実施するための形態】
【００２１】
以下、本発明に係る実施形態の巻爪矯正器Ａを図１〜図３に基づいて説明する。尚、以下で説明する各実施形態は、本発明を限定するものではない。
【００２２】
巻爪矯正器Ａは、金属製の板を所定の形状に形成すると共に、折り曲げ形成したものである。
【００２３】
巻爪矯正器Ａは、爪Ｂの自由縁Ｂ１の左右両外側縁Ｂ２、Ｂ３に装着される一対の固定部材１、２と、固定部材１、２にわたる方向の軸を有し、爪Ｂの表面Ｂ４側で爪Ｂの幅方向(図１において左右方向)に沿うと共に、巻爪の方向に沿う方向に撓らせた状態で、固定部材１、２にわたるように配置される矯正部材３とを有している。
【００２４】
尚、固定部材１、２は、爪Ｂに対して左右対称形であるので、以下の構成説明では、固定部材１のみを説明し、固定部材２は、同符号を付すことによって構成説明を省略する。
【００２５】
固定部材１は、外側縁Ｂ２に対してその表裏から挟持するように嵌脱自在に嵌合されるフック部４と、フック部４の上板４２に一体として形成され、矯正部材３を挿通支持する挿通部５と、挿通部５に一体として形成され、挿通部５に対して挿通支持される矯正部材３に対する接触抵抗によって、矯正部材３を不動に保持する接触片部６とを有している。
【００２６】
ここで、矯正部材３は、線状体に形成されており、図３に示すように、撓らせる方向の力に対して復帰する方向の反発力が生じる弾性を有する金属線（形状記憶合金からなる金属線や高弾性の金属線等)３０を用い、金属線３０の外側に合成樹脂材による被膜層３１を設けて構成されている。
【００２７】
このような矯正部材３は、図１に示すように、固定部材１、２にわたるように、趾肉Ｃ側への巻爪方向に撓らせた状態で挿通部５に挿通させることで、爪Ｂの両外側縁Ｂ２、Ｂ３を上方に引き上げる力(撓りから復帰する反発力)が生じ、この力によって巻爪を矯正できるようにされている。
【００２８】
また、図３に示すように、矯正部材３が挿通部５に挿通した状態で、接触片部６が矯正部材３の外周の被膜層３１に食い込むことで、矯正部材３と接触片部６とに大きな接触抵抗が生じ、この接触抵抗によって、撓りから復帰する反発力による矯正部材３と挿通部５との相互の滑りによるスライドを阻止できるようにされている。
【００２９】
尚、本実施形態では、矯正部材３と接触片部６とに接触抵抗を付与する構成として、金属線３０の外側に合成樹脂材の被膜層３１を設けてなる矯正部材３とし、接触片部６を矯正部材３の被膜層３１に食い込ませることで、矯正部材３と接触片部６との相互の滑りを防止する構成としているが、本発明では、金属線の外周に滑り止めを施してなる矯正部材３として、矯正部材３と接触片部６との相互の滑りを防止する構成としてもよい。
【００３０】
矯正部材３の滑り止めの手段については、例えば、金属線の外周をザラザラな面とした矯正部材３とし、矯正部材３と接触片部６との接触抵抗を大きくすることで、矯正部材３と接触片部６との相互の滑りを防止する手段、接触片部６の硬度よりも低い硬度の金属線を用いた矯正部材３とし、矯正部材３の外周に接触片部６を食い込ませることができるようにして、矯正部材３と接触片部６との接触抵抗を大きくすることで、矯正部材３と接触片部６との相互の滑りを防止する手段、等が挙げられる（図示せず）。
【００３１】
フック部４は、図１においてＵ字状に折り曲げ形成された一端の開放側を開口部４０とし、折り曲げ部分を付勢部４１とし、付勢部４１に、開口部４０を拡開する方向の力に対して閉じる方向の付勢力が生じるようにされており、爪Ｂの外周縁Ｂ２に嵌合したときに、付勢部４１の付勢力による挟持力が生じるようになっている。
【００３２】
フック部４の下板４３には、内側に折り曲げた引掛け部４４が形成されており、爪Ｂの外周縁Ｂ２に嵌合したときに、引掛け部４４が爪Ｂの裏面Ｂ５に食い込んで、固定部材１を外れ難くしている。
【００３３】
尚、爪Ｂの状況にもよるが、図１に示すように、爪Ｂの裏面Ｂ５に、あらかじめ、引掛け部４４を引掛ける凹部Ｂ５０を形成しておくとよい。
【００３４】
挿通部５は、図３に示すように、矯正部材３の直径よりも大きな内径の貫通口５０を有する環状に形成されており、貫通口５０の内周に接触片部６が形成されている。
【００３５】
挿通部５は、開口部４０の開口方向と同じ方向の軸を有する貫通口５０を有し、フック部４の上板４２に対して交差する方向、且つ上方に突設されている。
【００３６】
接触片部６は、挿通部５の上側の内周から外周に向かって径方向に切り欠いた凹部６０の内周側の両コーナー部を、角状に尖らせた先端６１として形成されており、挿通部５に挿通された矯正部材３の外周に、先端６１が接触するようにされている。
【００３７】
すなわち、接触片部６は、図３に示すように、挿通部５に撓らせた状態で挿通された状態で、撓りから復帰する反発力が生じた矯正部材３の外周の被膜層３１に、接触片部６の先端６１が食い込むように接触し、これにより、挿通された矯正部材３と挿通部５との相互の滑りを防止することができ、滑りによる矯正部材３と挿通部５との相互のスライドを防止することができ、これにより、矯正部材３の撓った状態を保持することができる。
【００３８】
尚、接触片部６の形態は、例示したように、挿通部５の内周から外周に向かって径方向に切り欠いた凹部６０の内周側の両コーナー部を、角状に尖らせた先端６１として形成した形態に限らず、先端６１が角状に尖るように、挿通部５の上側の内周をギザギザ状に形成してなる接触片部６としてもよい（図示せず）。
【００３９】
また、接触片部６の形態は、角状に尖らせた先端６１を有する形態に限らず、矯正部材３の外周に対して、接触抵抗を生じさせることができる形態の全てを含む。
【００４０】
本形態の巻爪矯正器Ａは、固定部材１、２を手で摘まんで、フック部４を爪Ｂの両外周縁Ｂ２、Ｂ３に嵌合して装着したり、矯正部材３を手で摘まんで撓らせながら、貫通口５０に挿入したりしてもよいが、装着の容易性や細かい各部材の仕舞い性の向上等の観点から、巻爪矯正器Ａを図４〜図７に示す保持具Ｄに収容すると共に、固定部材１、２を保持具Ｄに収容した状態で、爪Ｂの外側縁Ｂ２、Ｂ３に対する嵌合作業を行うようにするとよい。
【００４１】
以下、本発明に係る実施形態の保持具Ｄを図４、図５に基づいて説明する。尚、以下で説明する各実施形態は、本発明を限定するものではない。
【００４２】
保持具Ｄは、図４において上下方向で互いに対面して固着された２枚の固定板Ｄ１０、Ｄ１１からなる保持具本体Ｄ１と、保持具本体Ｄ１の図面上左右に夫々に一体に設けられ、一対の固定部材１、２を夫々挟持状に保持する２か所の挟持保持部Ｄ２、Ｄ３と、保持具本体Ｄ１に一体に設けられ、矯正部材３を嵌脱自在に保持する嵌合保持部Ｄ４と、貫通口５０に対して矯正部材３の挿通を案内する案内部Ｄ５とを有している。
【００４３】
尚、挟持保持部Ｄ２、Ｄ３は、左右対称形であるので、以下の構成説明では、挟持保持部Ｄ２のみを説明し、挟持保持部Ｄ３は、同符号を付すことによって構成説明を省略する。
【００４４】
挟持保持部Ｄ２は、保持具本体Ｄ１の左側部から外側へ、上下方向で相互に対面するように突設された２枚の挟持板Ｄ２０、Ｄ２１を有し、フック部４の開口部４０が露出した状態で、挟持板Ｄ２０、Ｄ２１が挿通部５のみを挟持保持するようにされている。
【００４５】
挟持板Ｄ２０は、固定板Ｄ１０側に一体に設けられ、挟持板Ｄ２１は、固定板Ｄ１１側に一体に設けられており、挿通部５を挟持板Ｄ２０にセットした状態で固定板Ｄ１０と固定板Ｄ１１とを対面させて固定することによって、挟持板Ｄ２０と挟持板Ｄ２１とで、挿通部５を挟持した状態にすることができる。
【００４６】
また、挟持板Ｄ２０には、挿通部５に挿通する突起Ｄ２２が設けられており、突起Ｄ２２は、挟持板Ｄ２０にセットされる挿通部５の位置決め及びずれ止めを行うものであり、固定板Ｄ１０と固定板Ｄ１１とを対面させて固定する際の挿通部５の正常な位置を保持すると共に、爪Ｂの外側縁Ｂ２、Ｂ３に装着する際のずれ止めができるようにするものである。符号Ｄ２３は、突出した突起Ｄ２２が嵌合する嵌合空間であり、突起Ｄ２２と対面するように挟持板２１に設けられている。
【００４７】
嵌合保持部Ｄ４は、矯正部材３の中央部分が露出するように形成された引抜空間Ｄ４０と、矯正部材３の左右端部側を嵌合保持するように、固定板Ｄ１０と固定板Ｄ１１とにわたるように形成され、固定板Ｄ１０と固定板Ｄ１１とを固定することで形成される嵌合凹部Ｄ４１とを有しており、固定板１０側に矯正部材３をセットして固定板１０と固定板Ｄ１１とを固定することで、矯正部材３が嵌合凹部Ｄ４１に嵌合保持される。
【００４８】
引抜空間Ｄ４０は、図５において、装着作業者の指が入る程度の大きさとして、保持具本体Ｄ１の前側部から後側部に向かうように凹設されており、嵌合凹部Ｄ４１に矯正部材３が嵌合された状態で、引抜空間Ｄ４０に矯正部材３の中央部が露出するようにされている。
【００４９】
嵌合凹部Ｄ４１は、保持具本体Ｄ１の前側部Ｄ１２及び前側部Ｄ１２と連続する引抜空間Ｄ４０の側縁部Ｄ１３を開口部Ｄ４２として凹設されており、前側部Ｄ１２から開口部Ｄ４２に対して矯正部材３を径方向から引き抜くようにされている。
【００５０】
嵌合凹部Ｄ４１には、嵌合状態の矯正部材３を、人為的に引き抜く動作を行わないと抜けないように、露出する矯正部材３を、図４において上下方向から挟持する２枚の挟持片Ｄ４３が設けられている。
【００５１】
案内部Ｄ５は、図５（ａ）〜（ｃ）に示すように、保持具本体Ｄ１の挟持保持部Ｄ２の付近の側縁から外方へ突設された対面板Ｄ５０と、対面板Ｄ５０に凹設された案内凹部Ｄ５１と、対面板Ｄ５０に設定された規定部Ｄ５２、Ｄ５３とを備えている。
【００５２】
対面板Ｄ５０は、平面視において台形状を呈し、上底に相当する縁側から下底に向かって案内凹部Ｄ５１が凹設され、上底側に規定部Ｄ５２が設定され、平面側に規定部Ｄ５３が設定されている。
【００５３】
案内凹部Ｄ５１は、貫通口５０の径と同幅として凹設されていると共に、下底側の端部Ｄ５１０を貫通口５０の径と同径とする半円として形成され、矯正部材３を径方向から嵌脱自在とし、矯正部材３の嵌合状態において矯正部材３が対面板Ｄ５０を貫通した状態となるように形成されている。
【００５４】
案内凹部Ｄ５１は、矯正部材３を嵌合した状態で、端部Ｄ５１０によって矯正部材３を押すようにして撓らせ、対面板Ｄ５０が挿通部５に対して対面すると共に、爪Ｂの表面Ｂ４に規定部Ｄ５２が、挿通部５に規定部Ｄ５３が接触したときに、矯正部材３が貫通口５０と同軸となる位置及び深さとして形成されている。
【００５５】
規定部Ｄ５２は、案内凹部Ｄ５１の開口Ｄ５１１の両側に位置する対面板Ｄ５０の上底部分であり、この規定部Ｄ５２が爪Ｂの表面Ｂ４に接触したときに、矯正部材３の軸の高さが貫通口５０の軸の高さと同じとなるように設定されている。
【００５６】
規定部Ｄ５３は、対面板Ｄ５０に、矯正部材３の貫通方向と平行として突設されており、規定部Ｄ５３の側部が挿通部５の外周縁５１に接触したときに、案内凹部Ｄ５１と貫通口５０とが正対するように設定されている。
【００５７】
すなわち、図５（ｃ）に示すように、規定部Ｄ５２が爪Ｂの表面Ｂ４に接触すると共に、規定部Ｄ５３の側部が挿通部５の外周縁５１に接触したときに、案内凹部Ｄ５１に嵌合された矯正部材３が撓ると共に、矯正部材３の軸と貫通口５０の軸とが同軸となるように、対面板Ｄ５０の位置を規定することができ、これによって、矯正部材３を貫通口５０側にスライドさせることで、貫通口５０に矯正部材３を挿通することができる。
【００５８】
このような保持具Ｄによって、巻爪矯正器Ａの各部材をセットとして保持することができるので、各部材を整理よくまとめることができると共に、運搬性や仕舞い性を向上でき、その上、巻爪矯正器Ａの装着を容易、且つ迅速に行うことができる。
【００５９】
次に、保持具Ｄを用いた固定部材１、２の爪Ｂの両外側縁Ｂ２、Ｂ３への装着工程及び固定部材１、２にわたる矯正部材３の取付け工程を図６(ａ)〜図７(ｆ)に基づいて説明する。尚、固定部材１、２の取付け動作は、両者同じであるので固定部材１の取付け動作を説明することで、固定部材２の取付け動作の説明は省略する。
【００６０】
先ず、図６(ａ)に示すように、保持具Ｄを持ちながら開口部４０を外側縁Ｂ２に押し込むようにフック部４を外側縁Ｂ２に嵌合取付けする。
【００６１】
次に、図６(ｂ)に示すように、挟持保持部Ｄ２をニッパ等の切断具で切断することで、挟持保持部Ｄ２を構成する挟持板を保持具本体Ｄ１から分離させると共に、固定部材１を爪Ｂの外側縁Ｂ２に残した状態で挟持板Ｄ２０、Ｄ２１を取り外す。
【００６２】
次に、図６(ｃ)に示すように、保持具Ｄから矯正部材３を抜き取り、矯正部材３の一端を固定部材１の挿通部５に対して内側から外側へ向かって挿通する。
【００６３】
図７(ｄ)に示すように、矯正部材３の他端を固定部材２の挿通部５に対して内側から外側へ向かって挿通するが、このときに、保持具Ｄにおける案内部Ｄ５を用いて、前述したように挿通作業を行う。
【００６４】
矯正部材３の挿通部５に対する挿通状態においては、矯正部材３には、巻爪方向への撓りから復帰する付勢力が生じており、この付勢力によって、矯正部材３の外周が接触片部６に押し付けられると共に、接触片部６を矯正部材３の外周の合成樹脂材の被膜層３１に食い込ませることができる。
【００６５】
矯正部材３の挿通後に、図７(ｅ)に示すように、矯正部材３の挿通部５からの突出量を２ｍｍ程度となるように調整しながら、突出した矯正部材３を切断することで、図７(ｆ)に示すように爪Ｂへの装着が完了する。
【００６６】
尚、本実施形態では、固定部材１の挿通部５側で突出した矯正部材３を切断しているが、これは、固定部材２の挿通部５側での矯正部材３の突出量を多くして、固定部材２の挿通部５側で突出した矯正部材３を切断してもよい。
【００６７】
前述のように保持具Ｄを用いて固定部材１、２を取付けることができるので、爪Ｂへの装着作業の容易性及び迅速性を向上することができる。
【００６８】
そして、この巻爪矯正器Ａは、少ない構成部材で爪Ｂへの装着状態の高い確実性を保持した上で、装着時の嵩張りを小さくできる。
【００６９】
尚、保持具Ｄは、案内部Ｄ５を備えない構造としてもよく、この場合、挿通部５に対する矯正部材３の挿通作業は、保持具Ｄを使用せずに、矯正部材３を指で摘まんで行う。
【符号の説明】
【００７０】
Ａ：巻爪矯正器
Ｂ：爪
Ｂ１：自由縁
Ｂ２：外側縁
Ｂ３：外側縁
Ｄ：保持具
Ｄ１：保持具本体
Ｄ２：挟持保持部
Ｄ３：挟持保持部
Ｄ４：篏合保持部
Ｄ５：案内部
Ｄ２０：挟持板
Ｄ２１：挟持板
Ｄ４０：引抜空間
Ｄ４１：篏合凹部
Ｄ５０：対面板
Ｄ５１：案内凹部
Ｄ５２：規定部
Ｄ５３：規定部
１：固定部材
２：固定部材
３：矯正部材
４：フック部
５：挿通部
６：接触片部
５０：貫通口
【図１】
2019201795.tif 000003
【図２】
2019201795.tif 000004
【図３】
2019201795.tif 000005
【図４】
2019201795.tif 000006
【図５】
2019201795.tif 000007
【図６】
2019201795.tif 000008
【図７】
2019201795.tif 000009